【事件の表示】
　特願２００２−１４１８１２「番組の表示方法及び番組表示装置及び放送受信機」拒絶査定不服審判事件〔平成１５年　２月１４日出願公開、特開２００３−　４６８９７〕について、次のとおり審決する。
【結　論】
　本件審判の請求は、成り立たない。
【理　由】
１．手続の経緯
　本願は、平成１４年５月１６日（優先権主張　平成１３年５月２３日）の出願であって、平成２０年４月２１日付けで手続補正がなされ、平成２１年３月２７日付けで拒絶査定された。
　本件は、上記拒絶査定を不服とする平成２１年４月３０日の審判請求であり、同年６月１日付けで手続補正がなされた。
　
２．本願発明
　本願の特許請求の範囲の請求項１ないし１２に係る各発明は、平成２０年４月２１日付け及び平成２１年６月１日付けの手続補正によって補正された明細書及び図面の記載からみて、上記各請求項にそれぞれ記載されるとおりのものと認められるところ、請求項１に係る発明は次のとおりである。
「番組を画面上に一覧表示する番組表示手段を備え、
　前記番組表示手段は、所望の趣向に合う番組とその他の番組とで、前記趣向に合う番組を選択したときに、前記選択した趣向に合う番組の表示は変化させないで、選択されていない番組の表示を、見えなくすること、薄くすること、ぼかすこと、薄くしてぼかすこと、色を変えること、色を変えてぼかすこと、薄くして且つ色を変えること、薄くして且つ色を変えてぼかすこと、の何れかであることを特徴とする番組の表示方法。」
　
３．刊行物記載の発明
　これに対して、原査定の拒絶の理由に引用された特開２０００−７８４８９号公報（以下「刊行物」という。）には、以下（１）ないし（８）の記載がある。
　
（１）【発明の属する技術分野】本発明は電子番組ガイド表示システムにおける電子番組ガイドから番組を選択する番組選択装置に関し、特に見たい番組を短時間に選局できる番組選択装置、方法、および記憶媒体に関する。（【０００１】段落）
　
（２）【発明が解決しようとする課題】従来の方法では、チャンネル数が多い場合、見たい番組を探し出すために時間がかかる、言い換えれば見たい番組をなかなか見つけ出せないということである。その理由は、多チャンネルに対する考慮がなされていないからである。
　本発明の目的は、電子番組ガイドから、多チャンネルであっても見たい番組を短時間に選択できる手段を提供することにある。（【０００４】及び【０００５】段落）
　　
（３）番組受信装置１０は、放送波を受信し、選局された番組の映像／音声信号を番組表示装置１２に送出する。放送波には電子番組ガイド（番組情報データ）が重畳されていて、番組受信装置１０は放送波から電子番組ガイドを抽出し、番組選択装置１１に供給する。
　番組選択装置１１は、番組受信装置１０から供給された電子番組ガイドを番組ガイド格納部に格納する。番組ガイド格納部に格納された電子番組ガイドをもとに番組を選択する。番組選択装置１１で選択された番組のチャンネル番号は選局情報として番組受信装置１０に送られる。
　番組表示装置１２は、番組受信装置１０から送られてきた番組の映像／音声信号をもとに映像／音声を出力する。（図２の説明である【００１２】ないし【００１４】段落）
　
（４）図１は本発明の番組選択装置の構成を示すブロック図であり、図２の番組選択装置１１の詳細を示したものである。
　図１を参照すると、本発明の番組選択装置は、番組ガイド再編成手段１とチャンネル番号選局手段２と番組名検索手段３と番組ガイド格納部４と表示部５と番組ガイド操作部６とから構成されている。
　番組ガイド格納部４には、電子番組ガイドが格納される。
　番組ガイド再編成手段１は、番組ガイド格納部４に格納されている電子番組ガイドを読み込みジャンル別用，映像放送／音声放送別用，あるいは視聴者定義チャンネル用に再編成し表示部５に表示する。また、視聴者定義チャンネル用表示で使用するための視聴者チャンネルを定義する。（図１の説明である【００１５】ないし【００１８】段落）
　
（５）表示部５には、番組ガイド再編成手段１，チャンネル番号選局手段２，あるいは番組名検索手段３の処理結果が表示される。通常、ディスプレイ装置などが用いられる。
　番組ガイド操作部６で、番組ガイド再編成手段１，チャンネル番号選局手段２，あるいは番組名検索手段３における操作指示を与える。通常、キーボードやマウスなどが用いられる。（同【００２１】、【００２２】段落）
　
（６）図３は番組選択装置の動作を示す流れ図である。図４は電子番組ガイドの例であり、図４〜図７はジャンル別表示，映像放送／音声放送別表示，視聴者定義チャンネル表示の例である。
　番組ガイド格納部４には、番組受信装置１０から電子番組ガイドが既に取り込まれているものとする。
　図４に、電子番組ガイドの例を示す。電子番組ガイドの番組にはジャンル別や映像放送／音声放送別の識別ができるように識別子が付与されている。ここでは、チャンネル２００，２０１，２０２，２０３は音声放送、他のチャンネルは映像放送とする。まず、番組ガイド操作部６から、処理選択としてジャンル別表示であるか映像放送／音声放送別表示であるか視聴者定義チャンネル表示であるか視聴者チャンネル定義であるかを指定する（ステップＡ１）。
　番組ガイド格納部４に格納されている電子番組ガイドを読み込む（ステップＡ２）。
　処理選択としてジャンル別表示が指定された場合、番組ガイド操作部６から指定されたジャンルの番組を電子番組ガイドから抜き出し電子番組ガイドを再編成する（ステップＡ３−１）。（図３，４の説明である【００２４】ないし【００２８】段落）
　
（７）処理された電子番組ガイドを表示部５に表示する（ステップＡ４）。
　図５に、ニュースとスポーツとドラマのジャンルを指定したジャンル別表示の例を示す。この例では、指定したジャンルの番組のみを表示しているが、他の実現方法として、ジャンル別に色分けして表示することも可能である。（【００３２】、【００３３】段落）
　
（８）【発明の効果】本発明の効果は、多チャンネルになって番組数が多くなった場合でも、見たい番組を短時間に選局できることにある。その理由は、ジャンル別表示、映像放送／音声放送別表示、視聴者定義チャンネル表示機能を設け、さらに番組名検索およびチャンネル番号選択を可能にしたためである。（【００４０】段落）
　
（９）図５には、縦方向にチャンネル番号１００〜３００を表示するチャンネル表示領域、横方向に時間１０：００〜１５：００を表示する時間表示領域、前記チャンネルと時間で区切られた領域であって、番組を表示する領域を有する電子番組ガイドで、上記各チャンネルと時間で区切られた領域のうち所定の領域にスポーツ、ニュース、ドラマの番組が表示され、その他の領域は番組の表示がなされていない電子番組ガイドの表示例が示されている。
　
　刊行物の上記（３）ないし（５）の記載からみて、刊行物に記載された番組選択装置は、番組ガイド操作部６からの操作指示を受けて、番組ガイド再編成手段１が、番組ガイド格納部４に格納されている電子番組ガイド（番組情報データ）を読み込み、ジャンル別用に再編成し、再編成された電子番組ガイドを表示部５に表示するものである。
　また、刊行物の上記（６）の記載からみて、刊行物に記載された番組選択装置では、番組ガイド操作部６から、処理選択としてジャンル別表示が指定された場合、指定されたジャンルの番組を電子番組ガイドから抜き出し電子番組ガイドを再編成することがなされている。
　また、刊行物の上記（６）、（７）、（９）の記載によれば、刊行物に記載された番組選択装置は、縦方向にチャンネル番号１００〜３００を表示するチャンネル表示領域、横方向に時間１０：００〜１５：００を表示する時間表示領域、前記各チャンネルと前記時間で区切られた領域であって、番組を表示する領域を有し、当該領域に番組を一覧表示する電子番組ガイドであって、番組ガイド操作部６で、ニュースとスポーツとドラマのジャンルを指定した場合、前記電子番組ガイドの番組を表示する領域に、指定したジャンルのニュースとスポーツとドラマの番組のみを表示し、他のジャンルの番組は表示しない処理された電子番組ガイドを表示部５に表示するものである。
　このような、刊行物記載の番組選択装置における電子番組ガイドを表示する技術は、電子番組ガイドの表示方法としても認識することができる。
　
　以上のことから、刊行物には、次のとおりの発明（以下「刊行物発明」という。）が記載されていると認められる。
「電子番組ガイドを表示部５に表示する番組選択装置を備え、
　番組選択装置の番組ガイド操作部６でジャンル別表示が指定された場合、ジャンルが指定されると、指定されたジャンルの番組のみを表示させ、指定されていないジャンルの番組は表示させない再編成された電子番組ガイドを前記表示部５に表示する電子番組ガイドの表示方法。」
　
４．本願発明と刊行物発明との対比
　本願発明と刊行物発明とを対比すると次のことが認められる。
（１）刊行物発明は、電子番組ガイドの表示方法に係る発明であるから、本願発明と刊行物発明は、いずれも、「番組の表示方法」に係る発明であるといえる。
（２）刊行物発明の番組選択装置は、電子番組ガイドを表示部５に表示するものであり、前記電子番組ガイドは番組を一覧表示するものであることは、刊行物の上記（７）、（９）の記載から明らかであることから、刊行物発明の番組選択装置は、本願発明における「番組表示手段」に対応するものといえる。
（３）本願発明では、番組表示手段は、所望の趣向に合う番組とその他の番組とで、前記趣向に合う番組を選択したときに、前記選択した趣向に合う番組の表示は変化させないで、選択されていない番組の表示を、見えなくすること、薄くすること、ぼかすこと、薄くしてぼかすこと、色を変えること、色を変えてぼかすこと、薄くして且つ色を変えること、薄くして且つ色を変えてぼかすこと、の何れかであることを特徴としているところ、刊行物発明では、上記のとおり、番組選択装置のジャンル別表示が指定された場合、所定のジャンルが指定されると、指定されたジャンルの番組のみを表示させ、指定されていないジャンルの番組は表示させない、すなわち、選択されたジャンルの番組の表示は変化させないで、選択されていない番組の表示を見えなくするものである。
　ここで、本願発明の「選択されていない番組の表示を、見えなくすること、薄くすること、ぼかすこと、薄くしてぼかすこと、色を変えること、色を変えてぼかすこと、薄くして且つ色を変えること、薄くして且つ色を変えてぼかすこと、の何れかであること」との記載は択一的記載であるから、「選択されていない番組の表示を、見えなくすること」である場合において、刊行物発明の「選択されていない番組の表示を見えなくする」と相違するものではない。
　よって、本願発明と刊行物発明とは、いずれも、「番組表示手段は、所定の番組とその他の番組とで、前記所定の番組を選択したときに、前記選択した所定の番組は表示させ、選択されていない番組の表示を、見えなくすること、薄くすること、ぼかすこと、薄くしてぼかすこと、色を変えること、色を変えてぼかすこと、薄くして且つ色を変えること、薄くして且つ色を変えてぼかすこと、の何れかであること」で共通するといえる。
　もっとも、上記所定の番組が、本願発明では、所望の趣向に合う番組であるのに対し、刊行物発明では、指定されたジャンルの番組である点で相違する。
　
　したがって、本願発明と刊行物発明との一致点、相違点は次のとおりであると認められる。
〈一致点〉
　両者は、
「番組を画面上に一覧表示する番組表示手段を備え、
　前記番組表示手段は、所定の番組とその他の番組とで、前記所定の番組を選択したときに、前記選択した所定の番組は表示させ、選択されていない番組の表示を、見えなくすること、薄くすること、ぼかすこと、薄くしてぼかすこと、色を変えること、色を変えてぼかすこと、薄くして且つ色を変えること、薄くして且つ色を変えてぼかすこと、の何れかであることを特徴とする番組の表示方法。」である点で一致する。
　
〈相違点〉
　上記所定の番組が、本願発明においては、所望の趣向に合う番組であるのに対して、刊行物発明においては、指定されたジャンルの番組である点。
　
５．判断
　そこで、以下、上記相違点について判断する。
　刊行物発明では、番組ガイド操作部で所定のジャンルが指定されると、指定されたジャンルの番組のみを表示させ、指定されていないジャンルの番組は表示させないというジャンル別表示をしているところ、刊行物発明が、従来の方法では、チャンネル数が多い場合、見たい番組を探し出すために時間がかかる、言い換えれば見たい番組をなかなか見つけ出せないということを、解決しようとする課題とし（刊行物の上記（２）の記載）、ジャンル別表示機能を設けることにより、多チャンネルになって番組数が多くなった場合でも、見たい番組を短時間に選択できる手段を提供することを発明の目的、効果としていること（刊行物の上記（２）、（８）の記載）からすると、刊行物発明において、見たい番組を短時間に見つけ出せるようにするために、番組ガイド操作部で指定される所定のジャンルを、所望の趣向に合うジャンルとし、指定されたジャンルの番組を所望の趣向に合う番組とすることは、当業者であれば、格別の困難性なくなし得たことと認められる。
　
　以上判断したとおり、本願発明の上記刊行物発明に対する相違点は当業者が容易に想到し得たといえるものであり、また、本願発明の効果についてみても、上記構成の採用に伴って当然に予測し得る程度のものにすぎず、格別顕著なものがあるとはいえない。
　
６．むすび
　以上のとおり、請求項１に係る本願発明は、刊行物に記載された発明に基づいて当業者が容易に発明をすることができたものであるから、特許法第２９条第２項の規定により特許を受けることができない。
　したがって、本願の他の請求項に係る発明について検討するまでもなく、本願は拒絶されるべきものである。
　よって、結論のとおり審決する。